(57)【要約】【課題】  角形紙パックに被せる重ね箱であって、付属品の収容可能容積が大きく、角形紙パックの多段陳列が安定し、製造コストが低減するものを提供する。【解決手段】  底面が開口する薄肉樹脂成型品の本体と、本体に下から内嵌される山形の薄肉樹脂成型品の底板とからなる重ね箱において、本体は長方形の天板と前記天板の四辺から垂下する前後左右の側板とから形成し、天板には、左右中央において隣接し前後方向に延長する二つの谷部を、前後側板には、各谷部の表面と連通する二つの溝を、底板には、隣接する谷部裏面間の狭間に進入する突条部をそれぞれ形成する。【選択図】        図２
0003113932.tif 000002
【実用新案登録請求の範囲】
【請求項１】
底面が開口する薄肉樹脂成型品の本体と、前記本体に下から内嵌される山形の薄肉樹脂成型品の底板とからなる重ね箱において、山形頂上延長方向を前後方向とするとき、前記本体は長方形の天板と前記天板の四辺から垂下する前後左右の側板とを備え、前記天板には、左右中央において隣接し前後方向に延長する二つの谷部を形成し、前記前後側板には、前記谷部の表面と連通する二つの溝を形成し、前記底板には、隣接する前記谷部裏面間の狭間に進入する突条部を形成することを特徴とする角形紙パックの重ね箱。
【請求項２】
天板の上面には、エンボス加工を施すことを特徴とする請求項１に記載の角形紙パックの重ね箱。
【請求項３】
隣接する谷部裏面間の狭間の上端には、下方に開口する受入部を形成し、突条部の上端には、前記受入部に弾性的に脱着可能に嵌着する差込部を形成することを特徴とする請求項１又は２に記載の角形紙パックの重ね箱。
【請求項４】
受入部は狭間上端の左右表面に凹部加工を、差込部は突条部上端の左右表面に凹部加工をそれぞれ施して形成することを特徴とする請求項３に記載の角形紙パックの重ね箱。
【考案の詳細な説明】
【技術分野】
【０００１】
本考案は、クリーム等の乳製品を販売するための容器として使用される角形紙パックの山形上面に被せる重ね箱に関する。
【背景技術】
【０００２】
先に、出願人は実用新案登録第３０７０６４１号において、３個の山形突出部を有する薄肉樹脂成型品の本体と、その本体に下から内嵌される山形の薄肉樹脂成型品の底板とからなり、内部に乳製品用の口金と絞り袋を収容する重ね箱を提案した。この重ね箱は、紙パック内に乳製品があるときは、口金と絞り袋が付属する点が便利であり、紙パックが空になると、本体が他の紙パックのオーバーキャップとして使用できる点が便利である。
【０００３】
この種の重ね箱については、近年、内部に収容する物品の多様化に伴い、付属品の収容容積の増大が要望されている。また、角形紙パックの多段陳列の安定性に寄与することが、コストの低減と共に要望されている。、
【特許文献１】実用新案登録第３０７０６４１号公報
【考案の開示】
【考案が解決しようとする課題】
【０００４】
本考案は、上記要望に応えるためになされたものであり、その課題は、付属品の収容可能容積が大きく、かつ、角形紙パックの多段陳列を安定させ、製造コストも低減する重ね箱を提供することである。
【課題を解決するための手段】
【０００５】
前記課題を解決するため、本考案が採用する手段は、長方形の天板とその天板の四辺から垂下する前後左右の側板とを備える薄肉樹脂成型品の本体と、その本体に下から内嵌される山形の薄肉樹脂成型品の底板とからなる重ね箱において、山形頂上延長方向を前後方向とするとき、天板には左右中央において隣接し前後方向に延長する二つの谷部を、前後側板には二つの谷部の表面と連通する二つの溝を、底板には隣接する二つの谷部裏面間の狭間に進入する突条部をそれぞれ形成することを特徴とする。
【考案の効果】
【０００６】
重ね箱は、本体と底板の間に底板斜面を底面とする多角柱状の空間を形成する。この空間に角形紙パックの付属物が収容される。前案の重ね箱は、この空間が三角柱状であるが、本考案の重ね箱は、上記手段により、この空間が四角柱状となり、その高さも前案の三角柱状のものよりも高いから、容積は大幅に増大する。したがって、本考案の重ね箱は、角形紙パック付属物の多様化並びに大型化に対応することができる。又、本考案の重ね箱は、上面が平坦で広いから、重ね箱を被せた角形紙パックは安定した多段陳列が可能である。
【考案を実施するための最良の形態】
【０００７】
底面が開口する薄肉樹脂成型品の本体と、その本体に下から内嵌して上面山形の角形紙パックに被せる山形の薄肉樹脂成型品の底板とからなる重ね箱において、本体と底板は、透明なＰＥＴ樹脂製とし、部分的に補強リブを設けることが好ましい。山形の頂上が延長する方向を前後方向とするとき、本体は紙パックの横断面と略同じ長方形の天板と、その天板から垂下して紙パックの前後左右の側面に重なる前後左右の側板とを備える。天板には、左右中央において隣接し前後方向に延長する二つのＷ字形谷部を、前後側板には、谷部の表面と連通する二つのＷ字形溝を、底板には、隣接する前記谷部裏面間の狭間に進入するひだ状の突条部をそれぞれ形成する。
【０００８】
天板の上面にエンボス加工を施すと、積み重ねた角形紙パックの横滑りが規制されるので、角形紙パックの落下事故を防止することができる。さらに、天板裏面中央の狭間の上端に下方に開口する受入部を形成し、その凹部に弾性的に脱着可能に嵌着する差込部を底板の突条部の上端に形成すると、本体と底板を一体化するシール加工が省略されるから、製造コストが低減するだけでなく、本体の後利用がシール跡により制限されることもなくなる。
【実施例】
【０００９】
本考案の重ね箱を、図面に示す実施例に基づいて説明する。図１及び図２は、実施例の平面図及び縦断面図、図３は別の実施例の分解縦断面図である。
【００１０】
図１及び図２に示すように、重ね箱は、底面が開口する角箱状の本体１と、その本体１に下から内嵌される山形の底板２とからなる。本体１と底板２は、透明で薄肉なＰＥＴ樹脂成型品であり、部分的に補強リブ４、５が形成される。
【００１１】
山形の頂上が延長する方向を前後方向とするとき、本体１は紙パック３の横断面と略同じ長方形の天板６とその天板から垂下して紙パック３の前後左右の側面に重なる前後左右の側板７、８、９、１０とを備える。天板６の表面はエンボス加工が施される。
【００１２】
天板１には、左右中央において隣接し前後方向に延長する二つのＷ字形の谷部１１が形成され、前後側板７，８には、谷部１１の表面と連通する二つのＷ字形溝１２が形成される。底板２には、隣接する谷部１１、１１の裏面間の狭間１３に進入するひだ状の突条部１４が形成される。、
【００１３】
逆さにした本体１の内部に口金１５、絞り袋１６等の付属品を入れ、底板２を内嵌して突条部１４を狭間１３に挿入する。ついで、シールテープ又は熱シール等のシール処理により、本体１と底板２を一体に組み立てるする。本体１と底板２が一体化した重ね箱をクリーム等の乳製品を入れた角形紙パック３の山形上面に被せると、底板２は角形紙パック３の山形上面に重なり、本体１の前後左右の側板７、８、９、１０は角形紙パック３の前後左右の側面と重なる。
【００１４】
本体１と底板２の間の付属物を収容する空間は、比較的容積の大きい四角柱状であるから、従来よりも大きい口金１５，絞り袋１６も内装することができる。又、天板６の表面は平坦で広いから、角形紙パックは多段積みにしても安定する。その上、天板表面のエンボス加工が角形紙パックの横滑りを阻止するから、多段陳列した角形紙パックの落下事故は防止される。
【００１５】
図３に示す別の実施例においては、突条部１４の上端左右の表面に凹部加工を施して首状の差込部１７を形成し、狭間１３の上端左右の表面に同じく凹部加工を施して、入口の狭い受入部１８を形成する。本体１に底板２を内嵌して突条部１４を狭間１３に挿入すると、差込部１７が受入部１８に弾性的に嵌着して本体１と底板２が一体化する。したがって、本体１と底板２を一体化するシール処理は不要となり製造コストが低減する。
【００１６】
差込部１７と受入部１８は弾性的に脱着可能であり、一方を他方に対して少し強く引くと差込部１７と受入部１８の嵌着は分離する。上記以外の構成及び効果は前記実施例と同じである。
【図面の簡単な説明】
【００１７】
【図１】縦断面図の平面図、
【図２】図１の実施例の縦断面図、
【図３】別の実施例の分解縦断面図。
【符号の説明】
【００１８】
１：本体
２：底板
３：紙パック
４：リブ
５：リブ
６：天板
７：前側板
８：後側板
９：左側板
１０：右側板
１１：谷部
１２：溝
１３：狭間
１４：突条部
１５：口金
１６：絞り袋
１７：差込部
１８：受入部
【図１】
0003113932.tif 000003
【図２】
0003113932.tif 000004
【図３】
0003113932.tif 000005